(57)【要約】      （修正有）【課題】カメラボディを小型化することができるマウント構造を提供する。【解決手段】本発明のマウント構造は、第１マウント基準面（３１）を備えた第１マウント部材（３０）と、前記第１マウント基準面と当接する第２マウント基準面を備え、前記第１マウント部材とバヨネットマウント方式で着脱自在に係合される第２マウント部材と、のうちの一方に適用されるマウント構造であって、前記第１マウント部材及び第２マウント部材の一方のマウント部材は、一方の前記マウント部材のマウント基準面よりも内周側に設けられ、他方のマウント部材の一部を収容する円形状の開口部（３３）と、一方の前記マウント基準面における外形側の外形部（３４）が非円形状になるように、当該外形部に設けられた切り欠き部（３４ａ）と、を備える。【選択図】図２
2012027223.tif 000002
【特許請求の範囲】
【請求項１】
第１マウント基準面を備えた第１マウント部材と、
前記第１マウント基準面と当接する第２マウント基準面を備え、前記第１マウント基準面および第２マウント基準面を介して、前記第１マウント部材と、バヨネットマウント方式で着脱自在に係合される第２マウント部材と、のうちの一方に適用されるマウント構造であって、
前記第１マウント部材および第２マウント部材の一方のマウント部材は、
一方の前記マウント部材のマウント基準面よりも内周側に設けられ、他方のマウント部材の一部を収容する円形状の開口部と、
一方の前記マウント基準面における外形側の外形部が非円形状になるように、当該外形部に設けられた切り欠き部と、を備えることを特徴とするマウント構造。
【請求項２】
請求項１に記載のマウント構造であって、
前記第１マウント部材および第２マウント部材のうちの前記一方のマウント部材は、カメラボディに設けられたカメラマウント部材であり、
前記カメラマウント部材は、前記カメラボディを正位置としたときの垂直方向及び／又は水平方向の少なくとも一箇所に前記切り欠き部を備えることを特徴とするマウント構造。
【請求項３】
請求項１又は２に記載のマウント構造であって、
前記切り欠き部は、前記外形部を直線状に切り欠く形状であることを特徴とするマウント構造。
【請求項４】
請求項１に記載のマウント構造であって、
一方の前記マウント部材は、前記外形部の全周囲に前記切り欠き部を備えることを特徴とするマウント構造。
【請求項５】
請求項１〜４の何れか一項に記載のマウント構造であって、
一方の前記マウント部材の前記切り欠き部は、一方の前記マウント基準面の一部をも切り欠くように設けられていることを特徴とするマウント構造。
【請求項６】
請求項１〜４の何れか一項記載のマウント構造であって、
一方の前記マウント部材は、一方の当該マウント部材のマウント基準面よりも外周側に設けられた構造体上に、一方の前記マウント部材を被固定物上に取り付けるための孔部を備えることを特徴とするマウント構造。
【請求項７】
レンズ鏡筒を着脱可能にマウントするためのマウント構造として、請求項１〜６のいずれか一項に記載のマウント構造を備えることを特徴とするカメラボディ。
【請求項８】
カメラボディに対し着脱可能にマウントするためのマウント構造として、請求項１〜６のいずれか一項に記載のマウント構造を備えることを特徴とするレンズ鏡筒。
【発明の詳細な説明】
【技術分野】
【０００１】
本発明は、マウント構造、前記マウント構造を備えたカメラボディ、及び前記マウント構造を備えたレンズ鏡筒に関する。
【背景技術】
【０００２】
一般的なレンズ交換式のカメラシステムにおいては、レンズ鏡筒をカメラボディに固定する方式として、主にバヨネットマウント方式が採用されている。このバヨネットマウント方式は、レンズ側マウント部及びカメラ側マウント部に、それぞれ複数の爪を設け、互いの爪をかみ合わせることにより、レンズ鏡筒をカメラボディに固定するように構成されている（例えば、特許文献１参照）。
【先行技術文献】
【特許文献】
【０００３】
【特許文献１】特開平９−１６６８１８号公報
【発明の概要】
【発明が解決しようとする課題】
【０００４】
上述したバヨネットマウント方式においては、レンズ側マウント部及びカメラ側マウント部の機械的な寸法が規定されている。このため、小さなカメラボディにおいては、カメラボディに対してカメラ側マウント部の占める割合が大きくなる。カメラ側マウント部は、カメラボディのほぼ中央に位置しているため、カメラボディの内部において部品の実装密度を高める（部品を光軸側に移動する）ことが難しくなる。このため、例えば、カメラボディの高さ寸法をより小さくすることが難しくなる。
【０００５】
本発明の課題は、カメラボディを小型化することができるマウント構造、カメラボディ及びレンズ鏡筒を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、第１マウント基準面（３１、５１、６１ａ〜６１ｃ）を備えた第１マウント部材（３０、５０、６０）と、前記第１マウント基準面と当接する第２マウント基準面（４１）を備え、前記第１マウント基準面及び第２マウント基準面を介して、前記第１マウント部材とバヨネットマウント方式で着脱自在に係合される第２マウント部材（４０）と、のうちの一方に適用されるマウント構造であって、前記第１マウント部材及び第２マウント部材の一方のマウント部材は、一方の前記マウント部材のマウント基準面よりも内周側に設けられ、他方のマウント部材の一部を収容する円形状の開口部（３３，５３）と、一方の前記マウント基準面における外形側の外形部（３４、５４、６２ａ〜６２ｃ）が非円形状になるように、当該外形部に設けられた切り欠き部（３４ａ、３４ｂ、５４ａ、６３ａ〜６３ｃ）と、を備えることを特徴とする。
請求項２に記載の発明は、請求項１に記載のマウント構造であって、前記第１マウント部材（３０）及び第２マウント部材（４０）のうちの前記一方のマウント部材は、カメラボディ（１０）に設けられたカメラマウント部材であり、前記カメラマウント部材は、前記カメラボディを正位置としたときの垂直方向及び／又は水平方向の少なくとも一箇所に前記切り欠き部（３４ａ、３４ｂ）を備えることを特徴とする。
請求項３に記載の発明は、請求項１又は２に記載のマウント構造であって、前記切り欠き部（３４ａ、３４ｂ）は、前記外形部（３４）を直線状に切り欠く形状であることを特徴とする。
請求項４に記載のマウント構造は、請求項１に記載のマウント構造であって、一方の前記マウント部材（５０）は、前記外形部（５４）の全周囲に前記切り欠き部（５４ａ）を備えることを特徴とする。
請求項５に記載の発明は、請求項１〜４の何れか一項に記載のマウント構造であって、一方の前記マウント部材（６０）の前記切り欠き部（６３ａ〜６３ｃ）は、一方の前記マウント基準面（６１ａ〜６１ｃ）の一部をも切り欠くように設けられていることを特徴とする。
請求項６に記載の発明は、請求項１〜４の何れか一項記載のマウント構造であって、一方の前記マウント部材（５０、６０）は、一方の当該マウント部材のマウント基準面（５１、６１ａ〜６１ｃ）よりも外周側に設けられた構造体（５５）上に、一方の前記マウント部材を被固定物（１１）上に取り付けるための孔部（１１ｃ）を備えることを特徴とする。
請求項７に記載の発明は、レンズ鏡筒（２０）を着脱可能にマウントするためのマウント構造として、請求項１〜６のいずれか一項に記載のマウント構造を備えることを特徴とするカメラボディ（１０、１０Ａ、１０Ｂ）である。
請求項８に記載の発明は、カメラボディ（１０、１０Ａ、１０Ｂ）に対し着脱可能にマウントするためのマウント構造として、請求項１〜６のいずれか一項に記載のマウント構造を備えることを特徴とするレンズ鏡筒である。
なお、符号を付して説明した構成は、適宜改良してもよく、また、少なくとも一部を他の構成物に代替してもよい。
【発明の効果】
【０００７】
本発明によれば、カメラボディを小型化することができるマウント構造、カメラボディ及びレンズ鏡筒を提供することができる。
【図面の簡単な説明】
【０００８】
【図１】第１実施形態に係わるカメラシステム１の外観図である。
【図２】カメラボディ１０においてカメラ側マウント部３０を図１の矢印Ａ方向から見たときの正面図である。
【図３】レンズ側マウント部を図１の矢印Ｂ方向から見たときの正面図である。
【図４】（ａ）、（ｂ）は、カメラシステムの光軸ＯＡを含む垂直断面に相当する概略断面図である。
【図５】カメラシステム１の光軸ＯＡを含む水平断面に相当する概略断面図である。
【図６】第２実施形態に係わるカメラシステム１Ａの外観図である。
【図７】カメラボディ１０Ａにおいてカメラ側マウント部５０を図６の矢印Ｅ方向から見たときの正面図である。
【図８】図７のＦ−Ｆ線における概略断面図である。
【図９】第３実施形態におけるカメラ側マウント部６０の正面図である。
【発明を実施するための形態】
【０００９】
以下、本発明の実施形態として、本発明に係わるマウント構造、カメラボディ及びレンズ鏡筒を適用したカメラシステムを、図面を参照しながら説明する。なお、以下に示す各図には、説明と理解とを容易にするために、ＸＹＺの直交座標系を設けた（図８を除く）。この座標系では、撮影者が光軸ＯＡを水平として横長の画像を撮影する場合のカメラ位置（以下、正位置という）において撮影者から見て左側に向かう方向をＸプラス方向とする。また、正位置において上側に向かう方向をＹプラス方向とする。さらに、正位置において被写体に向かう方向をＺ方向とする。
【００１０】
（第１実施形態）
図１〜図５を参照して、第１実施形態に係わるカメラシステム１について説明する。図１は、第１実施形態に係わるカメラシステム１の外観図である。図２は、カメラボディ１０（正位置）において、カメラ側マウント部３０を図１の矢印Ａ方向から見たときの正面図である。図３は、レンズ側マウント部を図１の矢印Ｂ方向から見たときの正面図である。
【００１１】
まず、第１実施形態におけるカメラシステム１の全体構成について説明する。第１実施形態におけるカメラシステム１は、図１に示すように、カメラボディ１０と、レンズ鏡筒２０と、を備える。カメラボディ１０は、レンズ鏡筒２０により形成された被写体像を撮像する撮像部（不図示）を備えたデジタルカメラである。
【００１２】
カメラボディ１０は、第１マウント部材としてのカメラ側マウント部３０を備える。カメラ側マウント部３０は、レンズ鏡筒２０が着脱自在に装着されるカメラマウント部材である。カメラ側マウント部３０については後述する。
【００１３】
レンズ鏡筒２０は、鏡筒本体２１と、レンズ２２と、レンズ側マウント部４０と、を備える。鏡筒本体２１は、内部にレンズ２２を収容した筒状の筐体である。レンズ２２は、被写体光を屈折して被写体像を形成する光学部材である。レンズ側マウント部４０は、カメラ側マウント部３０と係合するマウント部材である。レンズ側マウント部４０は、鏡筒本体２１の光軸ＯＡ方向における反被写体側の端部に設けられている。レンズ側マウント部４０については後述する。
【００１４】
第１実施形態におけるカメラ側マウント部３０とレンズ側マウント部４０とは、バヨネットマウント方式のマウント構造を構成する。
【００１５】
まず、カメラ側マウント部３０について説明する。カメラ側マウント部３０は、図２に示すように、第１マウント基準面としてのカメラ側マウント基準面３１と、カメラ側爪部３２と、開口部３３と、を備える。
【００１６】
カメラ側マウント基準面３１は、レンズ鏡筒２０をカメラボディ１０に装着した状態において、レンズ鏡筒２０のレンズ側マウント基準面４１（後述）と当接する部分である。カメラ側マウント基準面３１は、略円環状の平面である。カメラ側マウント基準面３１は、外周側に非円形状の外形部３４を有する。外形部３４は、第１切り欠き部３４ａと、第２切り欠き部３４ｂと、非切り欠き部３４ｃと、を備える。
【００１７】
第１切り欠き部３４ａは、カメラ側マウント基準面３１の外形部３４を直線状に切り欠いた形状を有する。第１切り欠き部３４ａは、カメラボディ１０を正位置としたときの垂直方向の上下両端に設けられている。第２切り欠き部３４ｂは、カメラ側マウント基準面３１の外形部３４を直線状に切り欠いた形状を有する。第２切り欠き部３４ｂは、カメラボディ１０の正位置としたときの水平方向の左右両端に設けられている。第１切り欠き部３４ａ及び第２切り欠き部３４ｂには、レンズ側マウント基準面４１は当接しない。
【００１８】
非切り欠き部３４ｃは、図２に示すように、光軸ＯＡを中心とする半径ｒ１の外周円Ｃ１と同心円の円弧形状を有する。切り欠き部３４ｃは、外形部３４において、第１切り欠き部３４ａ及び第２切り欠き部３４ｂ以外の箇所に設けられている。この非切り欠き部３４ｃにも、レンズ側マウント基準面４１は当接しない。
【００１９】
また、カメラ側マウント基準面３１は、図２に示すように、光軸ＯＡを中心とする半径ｒ２の外周円Ｃ２と、カメラ側マウント基準面３１の内周円Ｃ３との間に形成される略円環状の部分（以下、レンズ側マウント基準面当接部分という）を有する。このレンズ側マウント基準面当接部分は、カメラ側マウント基準面３１が、レンズ鏡筒２０（図１参照）のレンズ側マウント基準面４１と当接するのに必要な幅Ｗを有する。
【００２０】
なお、カメラ側マウント基準面３１は、上述したレンズ側マウント基準面当接部分と非切り欠き部３４ｃとが、共に同一な平面となっている。このため、基準面を一つの工程で加工することができる。ただし、カメラ側マウント基準面３１は、必ずしも同一な平面でなくてもよい。例えば、レンズ側マウント基準面当接部分に対して、非切り欠き部３４ｃが低い平面であってもよい。このような構成とした場合は、基準面３１のレンズ側マウント基準面当接部分のみを後から加工することができるため、加工精度を向上させることができる。また、加工面積が減ることによっても、加工精度を向上させることができる。
【００２１】
カメラ側爪部３２は、レンズ鏡筒２０をカメラボディ１０に装着した状態において、レンズ鏡筒２０のレンズ側マウント部４０に設けられたレンズ側爪部４３（後述）と機械的に係合する部分である。カメラ側爪部３２は、所定の厚みを有し、略板状に形成されている。カメラ側爪部３２は、カメラ側マウント部３０の内周側において、径方向の内側に突出すると共に、カメラ側マウント部３０の内周側に沿って所定の長さに形成されている。カメラ側爪部３２は、カメラ側マウント部３０の内周側に沿って３箇所設けられている。それぞれのカメラ側爪部３２は、開口部３３の周方向に沿って等間隔で設けられている。
【００２２】
開口部３３は、レンズ鏡筒２０をカメラボディ１０に装着した状態において、レンズ側マウント部４０の一部を収容する円形状の孔である。開口部３３は、カメラ側マウント基準面３１の内周側に設けられている。
【００２３】
また、カメラ側マウント部３０は、ビス孔３５と、マウント位置決めピン３７と、を備える。ビス孔３５は、カメラ側マウント基準面３１に４箇所設けられている。カメラ側マウント部３０は、ビス孔３５に挿入されたビス３６により、カメラボディ１０にネジ止めされている。
【００２４】
マウント位置決めピン３７は、カメラ側マウント基準面３１に対し突出又は収容されるピンである。マウント位置決めピン３７は、カメラ側マウント基準面３１から突出した突出位置と、カメラ側マウント基準面３１に収容された収容位置との間を移動可能に構成されている。
【００２５】
また、図１に示すように、カメラボディ１０の前面（被写体側）であって、カメラ側マウント部３０の側面には、ロック解除ボタン３８が設けられている。ロック解除ボタン３８は、マウント位置決めピン３７の突出位置又は収容位置に移動させるためのボタンである。マウント位置決めピン３７は、カメラボディ１０の内部に設けられたスプリングにより、突出位置に付勢されている。マウント位置決めピン３７は、ロック解除ボタン３８を押し込むことにより、前記スプリングの付勢力に抗して収容位置に移動する。また、マウント位置決めピン３７は、ロック解除ボタン３８の押し込みを解除すると、前記スプリングの付勢力により突出位置に移動する。
【００２６】
次に、レンズ側マウント部４０について説明する。レンズ側マウント部４０は、図３に示すように、レンズ側マウント基準面４１と、レンズ側マウント筒部４２と、レンズ側爪部４３と、を備える。
【００２７】
レンズ側マウント基準面４１は、レンズ鏡筒２０をカメラボディ１０に装着した状態において、カメラボディ１０のカメラ側マウント基準面３１と当接する部分である。レンズ側マウント基準面４１は、カメラ側マウント基準面３１と同じく、略円環状の平面である。
【００２８】
レンズ側マウント筒部４２は、レンズ側マウント基準面４１の内周側に設けられている。レンズ側マウント筒部４２は、レンズ側マウント基準面４１の内周側から所定長さ突出している。
【００２９】
レンズ側爪部４３は、レンズ側マウント筒部４２の突出した端部の外周側に設けられている。レンズ側爪部４３は、レンズ鏡筒２０をカメラボディ１０に装着した状態において、カメラボディ１０のカメラ側マウント部３０に設けられたカメラ側爪部３２と機械的に係合する部分である。
【００３０】
レンズ側爪部４３は、所定の厚みを有し、略板状に形成されている。レンズ側爪部４３は、レンズ側マウント筒部４２外周側において、径方向の外側に突出すると共に、レンズ側マウント筒部４２の外周側に沿って所定の長さに形成されている。レンズ側爪部４３は、レンズ側マウント筒部４２の外周側に沿って３箇所設けられている。それぞれのレンズ側爪部４３は、レンズ側マウント筒部４２の周方向に沿って等間隔で設けられている。
【００３１】
レンズ側マウント基準面４１とレンズ側爪部４３との間には、溝部４４が形成されている。溝部４４は、レンズ鏡筒２０をカメラボディ１０に装着した状態において、カメラ側マウント部３０のカメラ側爪部３２と係合する部分である。
【００３２】
レンズ側マウント部４０は、ビス孔４５を有する。ビス孔４５は、レンズ側マウント基準面４１に３箇所設けられている。レンズ側マウント基準面４１は、ビス孔４５に挿入されたビス４６により、レンズ鏡筒２０にネジ止めされている。
【００３３】
また、レンズ側マウント部４０は、マウント位置決めピン穴４７を有する。マウント位置決めピン穴４７は、レンズ鏡筒２０をカメラボディ１０に装着した状態において、カメラ側マウント部３０のカメラ側マウント基準面３１のマウント位置決めピン３７が嵌合する穴である。
【００３４】
上記のように構成されたカメラ側マウント部３０とレンズ側マウント部４０とを結合することにより、レンズ鏡筒２０をカメラボディ１０に装着することができる。また、カメラ側マウント部３０とレンズ側マウント部４０との結合を解除することにより、レンズ鏡筒２０をカメラボディ１０から取り外すことができる。
【００３５】
カメラ側マウント部３０とレンズ側マウント部４０とを結合するには、レンズ側マウント部４０のレンズ側爪部４３を、カメラ側マウント部３０のカメラ側爪部３２の間隔位置（カメラ側爪部３２が形成されていない位置）に配置して、レンズ側マウント部４０をカメラ側マウント部３０に密着させる。そして、レンズ側マウント部４０（レンズ鏡筒２０）をカメラ側マウント部３０（カメラボディ１０）に対して、光軸ＯＡ回りに所定の方向に所定量回転させる。例えば、本実施形態の構成では、被写体側から見て、レンズ鏡筒２０をカメラボディ１０に対して反時計回りに回転させる。
【００３６】
これにより、カメラ側マウント部３０のカメラ側爪部３２が、レンズ側マウント部４０の溝部４４と係合する。また、カメラ側マウント部３０のマウント位置決めピン３７が、レンズ側マウント部４０のマウント位置決めピン穴４７と嵌合する。その結果、カメラ側マウント部３０のカメラ側マウント基準面３１と、レンズ側マウント部４０のレンズ側マウント基準面４１とが密着して、光軸ＯＡの方向に位置決めされる。また、レンズ鏡筒２０は、マウント位置決めピン穴４７に嵌合したマウント位置決めピン３７により、光軸ＯＡ回りの方向に位置決めされる。このように、レンズ鏡筒２０をカメラボディ１０に装着した状態において、レンズ鏡筒２０は、カメラボディ１０に対する光軸ＯＡの方向及び光軸ＯＡ回りの方向における移動が規制される。
【００３７】
一方、カメラ側マウント部３０とレンズ側マウント部４０との結合を解除するには、カメラボディ１０に設けられたロック解除ボタン３８を押し込み、マウント位置決めピン３７を収容状態とする。これにより、マウント位置決めピン３７とマウント位置決めピン穴４７との嵌合が解除される。そして、レンズ側マウント部４０は、カメラ側マウント部３０に対して回転可能な状態となる。この状態で、レンズ側マウント部４０（レンズ鏡筒２０）をカメラ側マウント部３０（カメラボディ１０）に対して、光軸ＯＡ回りに装着時とは逆方向に所定量回転させる。例えば、本実施形態の構成では、被写体側から見て、レンズ鏡筒２０をカメラボディ１０に対して時計回りに回転させる。
【００３８】
そして、レンズ側マウント部４０のレンズ側爪部４３を、カメラ側マウント部３０のカメラ側爪部３２の間隔位置（カメラ側爪部３２が形成されていない位置）まで回転させる。これにより、カメラ側マウント部３０のカメラ側爪部３２と、レンズ側マウント部４０の溝部４４との係合が解除される。この状態で、レンズ鏡筒２０をカメラボディ１０から取り外すことができる。
【００３９】
次に、上記のように構成されたカメラボディ１０と従来例のカメラボディとの構造上の相違点について説明する。図４（ａ）、（ｂ）は、カメラシステムの光軸ＯＡを含む垂直断面に相当する概略断面図である。図５は、カメラシステム１の光軸ＯＡを含む水平断面に相当する概略断面図である。
【００４０】
まず、本実施形態におけるカメラボディ１０の高さ寸法について説明する。図４（ａ）は、従来例のカメラシステム２における概略断面図を示す。また、図４（ｂ）は、本実施形態のカメラシステム１における概略断面図を示す。
【００４１】
図４（ａ）に示す従来例のカメラシステム２は、レンズ鏡筒２０と、カメラボディ３と、を備える。カメラボディ３は、カメラ側マウント部４と、ＥＶＦ（Ｅｌｅｃｔｒｏｎｉｃ  Ｖｉｅｗ  Ｆｉｎｄｅｒ）５と、カメラ内蔵部品６と、を備える。ＥＶＦ５及びカメラ内蔵部品６は、カメラボディ３のＹ軸方向に配置された部品である。
【００４２】
図４（ａ）及び図４（ｂ）において、レンズ鏡筒２０の構成は同じである。また、図４（ａ）及び図４（ｂ）においては、撮像部及び周辺部分の図示と説明を省略する。更に、図４（ａ）及び図４（ｂ）においては、同等部分に同一符号を付している。
【００４３】
図４（ａ）において、従来例のカメラシステム２におけるカメラ側マウント部４は、本実施形態のカメラ側マウント部３０と同じくバヨネットマウント式のマウント部材である。カメラ側マウント部４は、図２に示すカメラ側マウント部３０のように、第１切り欠き部３４ａ、第２切り欠き部３４ｂ及び非切り欠き部３４ｃを備えていない。すなわち、従来例におけるカメラ側マウント部４のカメラ側マウント基準面（符号を省略）は、図２に示すカメラ側マウント部３０において、光軸ＯＡを中心とする半径ｒの外周円Ｃを全周に亘って有する。
【００４４】
ＥＶＦ５は、撮影者が被写体像を観察するための電子式ファインダである。ＥＶＦ５は、表示パネル５ａと、バックライト５ｂと、拡大レンズ５ｃと、を備える。
【００４５】
表示パネル５ａは、カメラボディ３の内部に設けられた撮像部（不図示）で撮像された画像を表示する透過型の液晶表示装置である。バックライト５ｂは、表示パネル５ａの背面側に設けられた平面光源である。拡大レンズ５ｃは、表示パネル５ａに表示された被写体像を拡大する光学部材である。撮影者は、表示パネル５ａに表示され、拡大レンズ５ｃにより拡大された被写体像を、接眼位置Ｄにおいて観察することができる。ＥＶＦ５を構成する上記各部は、筐体５ｄの内部に収納されている。
【００４６】
ＥＶＦ５の光軸ＯＡ方向の長さは、カメラボディ３の光軸ＯＡ方向の長さとほぼ同じである。このため、ＥＶＦ５の一部は、カメラ側マウント部４の一部と平面視（Ｙ軸方向からの矢視）において重複している。
【００４７】
カメラ内蔵部品６は、カメラボディ３の下部に配置された部品である。カメラ内蔵部品６は、例えば、カメラボディ３の基板、電子回路、バッテリー等である。カメラ内蔵部品６は、カメラ側マウント部４の直下に設けられている。カメラ内蔵部品６の光軸ＯＡ軸方向の長さは、カメラボディ３の光軸ＯＡ方向の長さとほぼ同じである。このため、カメラ内蔵部品６一部は、カメラマウント部４の一部と平面視において重複している。図４（ａ）において、従来例におけるカメラボディ３の高さ寸法をｈ１とする。
【００４８】
一方、図４（ｂ）に示す本実施形態のカメラボディ１０は、カメラ側マウント部３０の垂直方向における上下両端に第１切り欠き部３４ａ（図２参照）を備える。このため、ＥＶＦ５の位置を、第１切り欠き部３４ａの切り欠き分だけ光軸ＯＡの側に移動する（下げる）ことができる。また、カメラ内蔵部品６の位置を、第１切り欠き部３４ａの切り欠き分だけ光軸ＯＡの側に移動する（上げる）ことができる。
【００４９】
図４（ｂ）に示す二点鎖線は、図４（ａ）に示す従来例におけるカメラボディ３の大きさを示している。本実施形態によれば、図４（ｂ）に示すように、ＥＶＦ５を第１切り欠き部３４ａの分だけ光軸ＯＡの側に移動することができるので、カメラボディ１０の高さ方向の寸法をスペースｓ１の分だけ小さくすることができる。また、本実施形態によれば、カメラ内蔵部品６を第１切り欠き部３４ａの分だけ光軸ＯＡの側に移動することができるので、カメラボディ１０の高さ方向の寸法をスペースｓ２の分だけ小さくすることができる。従って、本実施形態によれば、カメラボディ１０の高さ寸法ｈ２を、従来例のカメラボディ３における高さ寸法ｈ１と比べて、スペースｓ１＋ｓ２の分だけ小さくすることができる。
【００５０】
なお、カメラボディ１０のＸ軸方向に配置された部品（不図示）についても、カメラ側マウント部３０の水平方向に設けられた第２切り欠き部３４ｂの分だけ、光軸ＯＡの側に移動することができる。従って、カメラボディ１０の横幅寸法を小さくすることができる。
【００５１】
次に、本実施形態のカメラボディ１０におけるグリップスペースについて説明する。図５に示すように、本実施形態のカメラボディ１０は、グリップ部１０ａを備える。グリップ部１０ａは、撮影時に、カメラボディ１０をホールドするために撮影者が握る部分である。
【００５２】
図５に示すレンズ鏡筒２０Ａは、図１に示すレンズ鏡筒２０とは異なり、レンズ側マウント部４０の近傍に環状の切り欠き部２３を有する。レンズ鏡筒２０Ａは、例えば、外径の大きな大口径のレンズ鏡筒である。
【００５３】
一般に、大口径のレンズ鏡筒２０Ａは、通常のレンズ鏡筒２０に比べて、筐体の外径が大きい。そのため、レンズ鏡筒２０Ａをカメラボディ１０に装着すると、カメラボディ１０におけるグリップスペースを確保することが難しくなる。
【００５４】
しかし、図５に示すように、レンズ鏡筒２０Ａに切り欠き部２３を設けることにより、グリップ部１０ａとカメラ側マウント部３０との間に、撮影者が指を置くためのグリップスペースとして、スペースＳ３を確保することができる。ちなみに、図５に示すスペースＳ４は、レンズ鏡筒２０Ａに切り欠き部２３を設けない場合のグリップスペースを示している。
【００５５】
また、図５に示すように、レンズ鏡筒２０Ａに切り欠き部２３を設けることにより、カメラボディ１０のロック解除ボタン３８（図１参照）を光軸ＯＡの側に移動した場合においても、ロック解除ボタン３８を押しやすくすることができる。
【００５６】
上述した第１実施形態のカメラシステム１によれば、以下の効果を奏する。
（１）カメラ側マウント部３０は、外形部３４に第１切り欠き部３４ａ及び第２切り欠き部３４ｂを備える。このため、カメラボディ１０の内部においてＥＶＦ５やカメラ内蔵部品６等の部品を光軸ＯＡの側に移動することができる。従って、カメラ側マウント部３０に設けられた第１切り欠き部３４ａ及び第２切り欠き部３４ｂの光軸ＯＡ方向における切り欠き寸法に応じて、カメラボディ１０を小型化することができる。
（２）第１切り欠き部３４ａ及び第２切り欠き部３４ｂは、カメラボディ１０を正位置としたときに、垂直方向及び水平方向に設けられている。このため、カメラボディ１０の高さ寸法や横幅寸法を小さくすることができる。
（３）第１切り欠き部３４ａ及び第２切り欠き部３４ｂは、カメラ側マウント部３０の外形部３４を直線状に切り欠いた形状を有する。このため、カメラ側マウント部３０に第１切り欠き部３４ａ及び第２切り欠き部３４ｂを容易に形成することができる。
【００５７】
（第２実施形態）
次に、図６〜図８を参照して、第２実施形態に係わるカメラシステム１Ａについて説明する。図６は、第２実施形態に係わるカメラシステム１Ａの外観図である。図７は、カメラボディ１０Ａ（正位置）において、カメラ側マウント部５０を図６の矢印Ｅ方向から見たときの正面図である。図８は、図７のＦ−Ｆ線における概略断面図である。第２実施形態においては、第１実施形態と同等部分に同一符号を付している。また、第１実施形態と同等部分の説明を適宜に省略する。
【００５８】
まず、第２実施形態におけるカメラシステム１Ａの全体構成について説明する。第２実施形態におけるカメラシステム１Ａは、図６に示すように、カメラボディ１０Ａと、レンズ鏡筒２０と、を備える。カメラボディ１０Ａは、レンズ鏡筒２０により形成された被写体像を撮像する撮像部（不図示）を備えたデジタルカメラである。レンズ鏡筒２０は、第１実施形態と同じである。
【００５９】
カメラボディ１０Ａは、第１マウント部材としてのカメラ側マウント部５０を備える。カメラ側マウント部５０は、レンズ鏡筒２０が着脱自在に装着されるカメラマウント部材である。第２実施形態におけるカメラ側マウント部５０とレンズ鏡筒２０のレンズ側マウント部４０とは、バヨネットマウント方式のマウント構造を構成する。
【００６０】
カメラ側マウント部５０は、図７に示すように、第１マウント基準面としてのカメラ側マウント基準面５１と、カメラ側爪部５２と、開口部５３と、を備える。
【００６１】
カメラ側マウント基準面５１は、レンズ鏡筒２０をカメラボディ１０Ａに装着した状態において、レンズ鏡筒２０のレンズ側マウント基準面４１と当接する部分である。
【００６２】
カメラ側マウント基準面５１は、外周側に外形部５４を有する。外形部５４は、全周囲に切り欠き部５４ａを備える。図７において、光軸ＯＡを中心とする半径ｒ１の外周円Ｃ１は、同一規格のバヨネットマウント方式における一般的なカメラ側マウント部の外周円を示す。切り欠き部５４ａは、図７に示す外周円Ｃ１と光軸ＯＡを中心とする半径ｒ２の外周円Ｃ２との間に形成される略円環状の部分である。
【００６３】
カメラ側マウント基準面５１は、外周円Ｃ１とカメラ側マウント基準面５１の内周円Ｃ３との間に形成される円環状の平面から、外周円Ｃ１と外周円Ｃ２との間に形成される平面を取り除いた平面である。すなわち、カメラ側マウント基準面５１は、外周円Ｃ２とカメラ側マウント基準面５１の内周円Ｃ３との間に形成された円環状の平面である。カメラ側マウント基準面５１は、レンズ鏡筒２０のレンズ側マウント基準面４１が当接するのに必要な幅Ｗを有する。
【００６４】
なお、図６に示すカメラ側爪部５２及び開口部５３は、第１実施形態におけるカメラ側爪部３２及び開口部３３とそれぞれ同一であるため、説明を省略する。
【００６５】
また、カメラ側マウント部５０は、図７に示すように、マウント取り付け板５５と、孔部としてのビス穴５６と、胴体部５７（後述）と、を備える。マウント取り付け板５５は、カメラ側マウント基準面５１よりも外周側に設けられた構造体である。マウント取り付け板５５は、略四角形状の板状部材である。マウント取り付け板５５は、カメラ側マウント基準面５１と一体に形成されている。ビス穴５６は、マウント取り付け板５５の四隅にそれぞれ設けられている。
【００６６】
次に、図８を参照して、カメラ側マウント部５０の取り付け構造について説明する。カメラ側マウント部５０は、図８に示すように、胴体部５７を備える。胴体部５７は、カメラ側マウント基準面５１と略同一の外径と内径を有する筒状の部材である。上述したマウント取り付け板５５は、胴体部５７の側面において、胴体部５７と一体に形成されている。
【００６７】
一方、カメラボディ１０Ａは、被固定物としてのボディ筐体１１を備える。ボディ筐体１１は、カメラ側マウント部取り付け孔１１ａと、段差部１１ｂと、ネジ穴１１ｃと、を備える。カメラ側マウント部取り付け孔１１ａは、カメラ側マウント部５０の胴体部５７を収容する孔である。段差部１１ｂは、カメラ側マウント部５０のマウント取り付け板５５を収容する切り欠き溝である。ネジ穴１１ｃは、ビス５８（後述）の雄ねじと嵌合する雌ねじを有する。ネジ穴１１ｃは、カメラ側マウント部５０の胴体部５７を収容したときに、マウント取り付け板５５のビス穴５６と対応する位置に設けられている。
【００６８】
図８に示すように、カメラ側マウント部５０の胴体部５７は、ボディ筐体１１のカメラ側マウント部取り付け孔１１ａに収容される。また、カメラ側マウント部５０のマウント取り付け板５５は、ボディ筐体１１の段差部１１ｂに収容される。この状態において、ビス穴５６に装填したビス５８をネジ込むと、ビス５８の雄ねじとボディ筐体１１のネジ穴１１ｃに形成された雌ねじとが嵌合する。これにより、カメラ側マウント部５０のマウント取り付け板５５は、ボディ筐体１１に固定される。
【００６９】
また、カメラ側マウント部５０のマウント取り付け板５５をボディ筐体１１に固定した状態において、カメラ側マウント部５０のマウント取り付け板５５とボディ筐体１１とは、略同一の平面を形成する。ボディ筐体１１の外側（被写体側）には、化粧カバー１２が貼り付けられている。上述したように、カメラ側マウント部５０のマウント取り付け板５５とボディ筐体１１とは略同一の平面となる。このため、図６に示すように、化粧カバー１２に段差を生じることなしに、カメラボディ１０Ａにカメラ側マウント部５０を取り付けることができる。
【００７０】
上述した第２実施形態のカメラシステム１Ａによれば、以下の効果を奏する。
（１）カメラ側マウント部５０は、外形部５４に略円環状の切り欠き部５４ａを備える。このため、カメラボディ１０Ａの内部においてＥＶＦ５やカメラ内蔵部品６等の部品（図４参照）を光軸ＯＡの側に移動することができる。従って、カメラ側マウント部５０に設けられた切り欠き部５４ａの光軸ＯＡ方向における切り欠き寸法に応じて、カメラボディ１０Ａを小型化することができる。
（２）切り欠き部５４ａは、外形部５４の全周囲に設けられている。このため、カメラボディ１０Ａを正位置としたときに、光軸ＯＡを中心とする周辺部に配置された部品を光軸ＯＡの側に移動させることができる。従って、第１実施形態のカメラボディ１０に比べて、カメラボディ１０Ａをより小型化することができる。
（３）切り欠き部５４ａは、カメラ側マウント部５０の外形部５４を略円環状に欠いた形状を有する。このため、カメラ側マウント部５０に切り欠き部５４ａを容易に形成することができる。
【００７１】
（第３実施形態）
次に、図９を参照して、第３実施形態に係わるカメラシステム１Ｂについて説明する。なお、第３実施形態に係わるカメラシステム１Ｂの基本構成は、上述した第２実施形態のカメラシステム１Ａと同じである。このため、第３実施形態では、カメラ側マウント部６０の構成についてのみ説明する。
【００７２】
なお、第３実施形態においては、第２実施形態と同等部分に同一符号を付し、説明を適宜に省略する。また、図９に示す外周円Ｃ１、Ｃ２及び幅Ｗは、第２実施形態と同じである。更に、レンズ鏡筒２０の図示と説明を省略すると共に、カメラボディ１０Ｂは輪郭のみを示す。
【００７３】
図９は、第３実施形態におけるカメラ側マウント部６０の正面図である。カメラ側マウント部６０は、図９に示すように、第１マウント基準面としてのカメラ側マウント基準面６１ａ，６１ｂ及び６１ｃと、カメラ側爪部５２と、開口部５３と、を備える。
【００７４】
カメラ側マウント基準面６１ａ，６１ｂ及び６１ｃは、レンズ鏡筒２０（図６参照）をカメラボディ１０Ｂに装着した状態において、レンズ鏡筒２０のレンズ側マウント基準面４１（図６参照）と当接する部分である。本実施形態のカメラ側マウント部６０は、光軸ＯＡを中心として等間隔に３分割されたカメラ側マウント基準面６１ａ，６１ｂ及び６１ｃを備える。カメラ側マウント部６０は、３分割されたカメラ側マウント基準面６１ａ，６１ｂ及び６１ｃにより、レンズ鏡筒２０のレンズ側マウント基準面４１と当接する。
【００７５】
カメラ側マウント基準面６１ａは、外周側に外形部６２ａを備える。外形部６２ａは、切り欠き部６３ａを備える。切り欠き部６３ａは、図９に示す外周円Ｃ１と外周円Ｃ２との間に形成される略円環状の部分と、カメラ側マウント基準面６１ａとカメラ側マウント基準面６１ｂとの間の部分と、により構成される。
【００７６】
カメラ側マウント基準面６１ｂは、外周側に外形部６２ｂを備える。外形部６２ｂは、切り欠き部６３ｂを備える。切り欠き部６３ｂは、図９に示す外周円Ｃ１と外周円Ｃ２との間に形成される略円環状の部分と、カメラ側マウント基準面６１ｂとカメラ側マウント基準面６１ｃとの間の部分と、により構成される。
【００７７】
カメラ側マウント基準面６１ｃは、外周側に外形部６２ｃを備える。外形部６２ｃは、切り欠き部６３ｃを備える。切り欠き部６３ｃは、図９に示す外周円Ｃ１と外周円Ｃ２との間に形成される略円環状の部分と、カメラ側マウント基準面６１ｃとカメラ側マウント基準面６１ａとの間の部分と、により構成される。
【００７８】
上述したように、第３実施形態における切り欠き部６３ａ〜６３ｃは、第２実施形態のカメラ側マウント基準面５１における切り欠き部５４ａの形状と、カメラ側マウント基準面５１の一部を切り欠いた形状と、を有する。第３実施形態におけるカメラ側マウント部６０のその他の構成は、第２実施形態と同じであるため説明を省略する。
【００７９】
上述した第３実施形態のカメラシステム１Ｂによれば、以下の効果を奏する。
（１）カメラ側マウント部６０は、外形部６２ａ〜６２ｃに、それぞれ切り欠き部６３ａ〜６３ｃを備える。このため、カメラボディ１０Ｂの内部においてＥＶＦ５やカメラ内蔵部品６等の部品（図４参照）を光軸ＯＡの側に移動することができる。従って、カメラ側マウント部６０に設けられた切り欠き部６３ａ〜６３ｃの光軸ＯＡ方向における切り欠き寸法に応じて、カメラボディ１０Ａを小型化することができる。
（２）切り欠き部６３ａ〜６３ｃは、光軸ＯＡを中心として等間隔で３分割されている。このため、カメラボディ１０Ｂを正位置としたときに、光軸ＯＡを中心とする周辺部に配置された部品を光軸ＯＡの側に移動させることができる。従って、第１実施形態のカメラボディ１０に比べて、カメラボディ１０Ｂをより小型化することができる。
（３）レンズ鏡筒２０（図６参照）をカメラボディ１０Ｂに装着すると、カメラ側マウント部６０は、レンズ側マウント基準面４１と当接した状態となる。この状態で、カメラボディ１０Ｂの内部は、カメラ側マウント部６０の切り欠き部６３ａ〜６３ｃにおいて外部と連通する。このため、カメラボディ１０Ｂの内部に配置された撮像部（不図示）で発生した熱を、切り欠き部６３ａ〜６３ｃから外部に放熱することができる。
【００８０】
（変形形態）
以上説明した実施形態に限定されることなく、本発明は以下に示すような種々の変形や変更が可能であり、それらも本発明の範囲内である。
（１）第１実施形態において、第１切り欠き部３４ａを、カメラ側マウント基準面３１の垂直方向の上端又は下端のいずれか一方に設けた構成としてもよい。また、第１実施形態において、第２切り欠き部３４ｂを、カメラ側マウント基準面３１の水平方向の左端又は右端のいずれか一方に設けた構成としてもよい。更に、第１実施形態において、第１切り欠き部３４ａ及び第２切り欠き部３４ｂは、いずれか一方の側に、少なくとも一箇所設けられていればよい。
（２）第１実施形態における第１切り欠き部３４ａ及び第２切り欠き部３４ｂの形状は、直線状に限らず、他の形状であってもよい。例えば、第１切り欠き部３４ａ及び第２切り欠き部３４ｂの形状を、円弧状としてもよい。
（３）第２実施形態における切り欠き部５４ａの形状は、図７に示すように、外周円Ｃ１と外周円Ｃ２との間に形成される略円環状に限らず、他の形状であってもよい。例えば、切り欠き部５４ａの形状を、円形と直線とを組み合わせた形状としてもよい。
（４）第２実施形態におけるマウント取り付け板５５の形状は、略四角形状に限らず、他の形状であってもよい。例えば、マウント取り付け板５５の形状を、円形としてもよい。また、ビス穴５６の位置や個数は、図７に示す例に限定されない。ビス穴５６の位置や個数は、必要な強度を確保することができれば、適宜に変更可能である。
（５）第３実施形態におけるカメラ側マウント部６０は、光軸ＯＡを中心として等間隔に３分割されている。これに限らず、カメラ側マウント部６０を２分割してもよいし、４分割以上としてもよい。また、分割されたカメラ側マウント基準面は、光軸ＯＡを中心として等間隔に配置されていなくてもよい。更に、第３実施形態におけるカメラ側マウント部６０の構成を、第１実施形態におけるカメラ側マウント部３０に適用してもよい。
（６）第１〜第３実施形態では、カメラ側マウント部に切り欠き部を設けた構成について説明した。これに限らず、レンズ鏡筒２０のレンズ側マウント部４０に切り欠き部を設けた構成としてもよい。
【００８１】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００８２】
１，１Ａ，１Ｂ：カメラシステム、１０，１０Ａ，１０Ｂ：カメラボディ、１１：ボディ筐体、１１ｃ：ネジ穴、２０，２０Ａ：レンズ鏡筒、３０，５０，６０：カメラ側マウント部、３１，５１，６１ａ〜６１ｃ：カメラ側マウント基準面、３２：カメラ側爪部、３３，５３：開口部、３４，５４，６２ａ〜６３ｃ：外形部、３４ａ：第１切り欠き部、３４ｂ：第２切り欠き部、４０：レンズ側マウント部、４１：レンズ側マウント基準面、５４ａ，６３ａ〜６３ｃ：切り欠き部、５５：マウント取り付け板
【図１】
2012027223.tif 000003
【図２】
2012027223.tif 000004
【図３】
2012027223.tif 000005
【図４】
2012027223.tif 000006
【図５】
2012027223.tif 000007
【図６】
2012027223.tif 000008
【図７】
2012027223.tif 000009
【図８】
2012027223.tif 000010
【図９】
2012027223.tif 000011